(57)【特許請求の範囲】
【請求項１】
本体と、
前記本体に配設され、少なくとも左右方向に回転可能な可動式センサーと、
前記可動式センサーを露出する開口部及び吹出口が形成されたパネルと、
前記吹出口に設けられ、この吹出口から吹き出される空気の方向を調整する上下ベーンと、
前記可動式センサーを保持するとともに、回転軸を有するセンサー保持部品と、
前記センサー保持部品を、回転可能に支持して前記本体に固定するセンサー取付筐体と、
前記センサー取付筐体と前記センサー保持部品との間にあって、前記センサー保持部品の回転に応じて伸縮する弾性部材と、
を有し、
前記可動式センサーは、
その検知範囲が、前記上下ベーンの動作領域と干渉しないように前記パネルの開口部から突出して配設された
ことを特徴とする空気調和装置の室内機。
【請求項２】
前記可動式センサーは、
前記上下ベーンの先端部が描く軌跡で形成される曲面に対して、その曲面より前方及び／又は下方に突出して設けられた
ことを特徴とする請求項１に記載の空気調和装置の室内機。
【請求項３】
前記可動式センサー及び前記センサー保持部品は、
前記パネルが上方に移動すると、前記可動式センサーが前記パネルの下部で押されて前記回転軸を中心として回転し、上方に移動する
ことを特徴とする請求項１又は２に記載の空気調和装置の室内機。
【請求項４】
前記弾性部材は、バネ又はゴムである
ことを特徴とする請求項１〜３のいずれか一項に記載の空気調和装置の室内機。
【発明の詳細な説明】
【技術分野】
【０００１】
本発明は、空気調和装置の室内機に関し、特に、室内機に設置される可動式センサーの取り付けに特徴を有する空気調和装置の室内機に関するものである。
【背景技術】
【０００２】
従来の空気調和装置の室内機には、可動式センサーが、前面パネルの下方に開口形成され、空調空気を空調対象域に供給するための吹出口の上方側中央部分に設置されたものが提案されている（たとえば、特許文献１参照）。
【先行技術文献】
【特許文献】
【０００３】
【特許文献１】特開２０１０−７１５２１号公報（たとえば、明細書の段落[０００９]〜[００１２]及び図１参照）
【発明の概要】
【発明が解決しようとする課題】
【０００４】
特許文献１に記載の技術では、可動式センサーが、空気吹出口の上方側中央部分に設置されている。これにより、吹出口に設置された上下ベーン（風向板）が、可動式センサーのセンシング領域に入り込むことを抑制していた。つまり、可動式センサーが上下ベーンの情報を取り込まず、可動式センサーがセンシングする室内情報の正確性の低下を抑制していた。
【０００５】
しかし、室内機の筐体を薄くする改良等を加えると、特許文献１のように「吹出口の上方側中央部分」位置に、可動式センサーを配置することが困難となる場合がある。この場合には、可動式センサーを吹出口の右側、又は左側の下部に設置するという方法が考えられる。この方法を採用すると、可動式センサーは、吹出口に対して近接するだけでなく略同一面上となってしまうので、可動式センサーのセンシング領域に上下ベーンが入り込んでしまうことがある。そうすると、可動式センサーが上下ベーンの情報を取り込んでしまって、可動式センサーのセンシングした室内情報の正確性が低下してしまうことになる。
【０００６】
本発明は、以上のような課題を解決するためになされたもので、パネル面下部の上下ベーンの左側又は右側に配置される場合でも、可動式センサーのセンシングした室内情報の正確性が低下してしまうことを抑制する空気調和装置を提供することを目的としている。
【課題を解決するための手段】
【０００７】
本発明に係る空気調和装置の室内機は、本体と、本体に配設され、少なくとも左右方向に回転可能な可動式センサーと、可動式センサーを露出する開口部及び吹出口が形成されたパネルと、吹出口に設けられ、この吹出口から吹き出される空気の方向を調整する上下ベーンと、可動式センサーを保持するとともに、回転軸を有するセンサー保持部品と、センサー保持部品を、回転可能に支持して本体に固定するセンサー取付筐体と、センサー取付筐体とセンサー保持部品との間にあって、センサー保持部品の回転に応じて伸縮する弾性部材と、を有し、可動式センサーは、その検知範囲が、上下ベーンの動作領域と干渉しないようにパネルの開口部から突出して配設されたものである。
【発明の効果】
【０００８】
本発明に係る空気調和装置によれば、可動式センサーは、その検知範囲が上下ベーンの動作領域と干渉しないようにパネルの開口部から突出して配設されたので、可動式センサーのセンシングした室内情報の正確性が低下してしまうことを抑制することができる。
【図面の簡単な説明】
【０００９】
【図１】本発明の実施の形態１に係る空気調和装置の室内機の正面図である。
【図２】図１に示す室内機の可動式センサー近傍を示す斜視図である。
【図３】図２に示す室内機の上下ベーンの動作時を示す斜視図である。
【図４】本発明の実施の形態２に係る空気調和装置の室内機の可動式センサー近傍を示すものである。
【図５】図４に示す可動式センサー近傍を、回転軸保持部品を外した状態で示したものである。
【図６】本発明の実施の形態２に係る空気調和装置の室内機の可動式センサー近傍を回転軸方向から見たものである。
【図７】図６に示す可動式センサー近傍を右側面から見たものである。
【図８】図４（ａ）に示す可動式センサー近傍の上面図であって、弾性部材の動作ごとに図示したものである。
【図９】図８に示すパネルを取り外す際の動作を、可動式センサーの右側面から見て説明するものである。
【図１０】図８に示すパネルを取り外す際の動作を、室内機の右側面から見て説明するものである。
【図１１】可動式センサー近傍の動作を説明する模式図である。
【発明を実施するための形態】
【００１０】
以下、本発明の実施の形態を図面に基づいて説明する。
実施の形態１．
図１は、本発明の実施の形態１に係る空気調和装置の室内機５０の正面図である。図２は、図１に示す室内機５０の可動式センサー４近傍を示す斜視図である。図３は、図２に示す室内機５０の上下ベーン５の動作時を示す斜視図である。図１〜図３に基づいて、室内機５０の構成について説明する。この室内機５０は、空気調和装置の構成要素として室内等の壁に設置され、冷媒を循環させる冷凍サイクルを利用することで室内等の空調対象域に空調空気（冷房用空気又は暖房用空気）を供給するものである。なお、図１を含め、以下の図面では各構成部材の大きさの関係が実際のものとは異なる場合がある。また、以下の図面における左右は、紙面から見た左右と対応している。さらに、手前とは、室内機５０の背面側から前面側に向かう方向のことである。
【００１１】
[室内機５０の構成]
室内機５０は、本体２０と、本体２０を覆うパネル１と、室内空気を内部に吸い込むための吸込口２と、空調空気を空調対象域に供給するための吹出口３と、吹出口３に回転自在に設けられ吹き出される空調空気の方向を調整する上下ベーン５と、吹出口３の右側に設置された可動式センサー４とを備えている。なお、本体２０内には、吸込口２から空気を吸い込み、吹出口３から空気を吹き出す送風ファン（図示省略）と、吸込口２から吹出口３までの風路に配設され、冷媒の温熱又は冷熱を空気に伝達して空調空気を生成する熱交換器（図示省略）と、を有している。
【００１２】
パネル１は、室内機５０の前面、上下面及び両側面を覆うように、本体２０に対して着脱可能、又は開閉可能に取り付けられているものである。パネル１の下方には、空調空気を空調対象域に供給するための吹出口３が開口形成されている。また、パネル１のうち吹出口３が開口形成された側方（この例では右の側方）には、可動式センサー４を空調対象域に露出させるための開口部２１が形成されている。
【００１３】
吸込口２は、送風ファンによって強制的に室内空気を室内機５０内部に取り込む開口である。吸込口２は、本体２０の上部に開口形成されている。
吹出口３は、吸込口２から吸い込まれ、熱交換器を通過した空調空気を空調対象域に供給する際に、室内空気が通過する開口である。吹出口３は、パネル１の下部、又は前側下部に開口形成されている。
【００１４】
可動式センサー４は、空調対象域の情報（人の在、人の不在、人の位置、及び温度変化）を検知するものである。可動式センサー４には、たとえば赤外線センサーが利用できる。可動式センサー４は、室内機５０の右下側に設置され、開口部２１を介して空調対象域に直接臨んでいる。なお、可動式センサー４は、室内機５０の左下側に設置されていてもよいし、室内機５０の右下側及び左下側の両方に設置されていてもよい。そして、この場合には、可動式センサー４に対応する位置に開口部２１を形成すればよい。
可動式センサー４は、図３に示すように、センシング範囲Ｃ内の空調対象域の情報を検出することができる。なお、可動式センサー４は、モーター（図示省略）によって少なくとも左右方向に回転可能となっている。これにより、センシング範囲Ｃが回転に対応した方向に移動するので、空調対象域のセンシングされる範囲が広がるようになっている。
【００１５】
上下ベーン５は、図２に示すように空気調和装置が運転していない時などには、吹出口３を閉塞する。また、図３に示すように空気調和装置が運転している時には所定の回転角度を保ったり、回転角度を変化させたりしながら吹き出される空調空気の方向を調整する。その動作時、上下ベーン５は、吹出口３の両側の側壁に回転可能に支持されており、上下ベーン５の空調空気流れ方向下流側の先端部５Ａが、図３に図示されるように、吹出口３の開口面に対して突出する。
【００１６】
［可動式センサー４の位置について］
可動式センサー４は、その左右方向の回転範囲を含めた検出範囲（センシング範囲Ｃ）が上下ベーン５の動作領域と干渉しないようにパネル１の表面から突出して配設されている。そのためには、たとえば上下ベーン５の先端部５Ａが描く軌跡で形成される曲面に対して、その曲面より前方に突出して設けられているとよい。これにより、可動式センサー４のセンシング範囲Ｃ内に上下ベーン５が入ってしまうことが抑制される。つまり、可動式センサー４のセンシング範囲Ｃに上下ベーン５が入ってしまうことが抑制されるので、たとえば可動式センサー４が赤外線センサーであった場合には、上下ベーン５の温度を取り込んでしまうことが抑制される。従って、可動式センサー４がセンシングする室内情報の正確性が低下してしまうことを抑制することができる。
なお、可動式センサー４は、上下ベーン５の先端部５Ａが描く軌跡で形成される曲面に対して、その曲面より鉛直下方に突出して設けられていてもよいし、背面側から前面側に向かう方向の斜め下方に設けられていてもよいことは言うまでもない。
【００１７】
実施の形態２．
以上の実施の形態１では、可動式センサー４をその検出範囲が上下ベーン５の動作領域と干渉しないようにパネル１の表面から突出して配置した。そこで、本実施の形態２に係る空気調和装置の室内機５０は、メンテナンスなどによりパネル１を外すことについても考慮したものである。
以下、可動式センサー４をパネル１の表面から突出して配置した場合に、パネル１が可動式センサー４と干渉して外しにくくなることを抑制するような構造とする実施の形態２を説明する。
【００１８】
図４は、本発明の実施の形態２に係る空気調和装置の室内機（図示省略）の可動式センサー４近傍を示すものである。図５は、図４に示す可動式センサー４近傍を、センサー取付筐体２２を外した状態で示したものである。ここで、図４（ａ）及び図５（ａ）が上面図、図４（ｂ）及び図５（ｂ）が正面図、図４（ｃ）及び図５（ｃ）が左側面図、図４（ｄ）及び図５（ｄ）が背面図である。なお、本実施の形態２では、実施の形態１と同一部分には同一符号とし、実施の形態１との相違点を中心に説明するものとする。なお、以下の図面の矢印Ｂは、室内機の背面側から前面側に向かう方向を示しているものである。
【００１９】
センサー保持部品７は、可動式センサー４を保持するものである。また、センサー保持部品７は、回転軸８を有する回転軸部２３を有している。これにより、センサー保持部品７は、回転軸８を中心として回転可能となっている。そして、可動式センサー４もセンサー保持部品７に保持されているので、その回転に伴って回転軸８を中心として回転する。
なお、センサー保持部品７と回転軸部２３は、別体でもよいし同体でもよいことは言うまでもない。
また、センサー保持部品７には、図４（ａ）及び図５（ａ）に図示されるように、その後方に、弾性部材１０が設けられている。この弾性部材１０は、たとえばバネ、ゴム等で構成するとよい。
【００２０】
図６は、本発明の実施の形態２に係る空気調和装置の室内機の可動式センサー４近傍を回転軸８方向から見たものである。なお、図６の十字の交点は、回転軸の通る位置に対応している。図７は、図６に示す可動式センサー４近傍を右側面から見たものである。図８は、可動式センサー４近傍の上面図であって、弾性部材１０の動作ごとに図示したものである。
なお、図６（ａ）、図７（ａ）及び図８（ａ）は、可動式センサー４が空気調和装置に据付けられた位置に配置された状態を示している。このとき、弾性部材１０は伸びた状態である。図６（ｂ）、図７（ｂ）及び図８（ｂ）は、センサー保持部品７及び可動式センサー４が回転した状態を示している。このとき、弾性部材１０は縮んだ状態である。
【００２１】
センサー取付筐体２２は、センサー保持部品７を回転自在に保持し、室内機５０本体に固定するものである。つまり、回転軸８を中心として、可動式センサー４がセンサー保持部品７と共に回転するようになっている。この回転により可動式センサー４は、パネル１の下部１１（図９及び図１０参照）に対して上方に移動することができる。
さらに、センサー取付筐体２２は、センサー保持部品７と弾性部材１０を介して接続されており、センサー保持部品７及び可動式センサー４の回転に伴って（図６（ａ）及び図６（ｂ）参照）、この弾性部材１０が伸縮する（図８（ａ）及び図８（ｂ）参照）ようになっている。これにより、可動式センサー４は、回転すると弾性部材１０の弾性力によって、空気調和装置に据付けられた状態（図６（ａ）、図７（ａ）及び図８（ａ）参照）に、戻ろうとする。つまり、可動式センサー４は、回転した後に、空気調和装置に据付けられた状態に戻ることができる。
【００２２】
図９は、図８に示すパネル１を取り外す際の動作を、可動式センサー４の右側面から見て説明するものである。図１０は、図８に示すパネル１を取り外す、又は開く際の動作を、室内機５０の右側面から見て説明するものである。図１１は、可動式センサー４近傍の動作を説明する模式図である。図１１は、実線が回転前の状態を表し、点線が回転後の状態を表している。また、図１１（ａ）は、可動式センサー４近傍を回転軸８方向から見たもので、図１１（ｂ）が、可動式センサー４近傍を右側面側からみたものである。図９〜図１１に基づいて、パネル１を室内機５０から取り外す、又は開く際の動作について説明する。
図１０に図示されるように、本実施の形態に係る空気調和装置の室内機５０は、パネル１を手前側上方（矢印Ａ参照）に引き上げるようにして取り外す、又は開くことができるようになっている。つまり、パネル１を取り外す際に下部１１は、手前側だけでなく上方に移動するということになる。
【００２３】
手前側上方にパネル１を引き出すと、パネル１の下部１１が可動式センサー４に接触（干渉）する。これにより、可動式センサー４は下部１１に押され、回転軸８を中心として回転する。この回転により、可動式センサー４は、下部１１に対して上方に移動（逃げる）する（図９（ｂ）参照）。図９及び図１１に図示されるように、可動式センサー４の鉛直方向の移動量Ｄは、下部１１の上方への移動量に対応している。
【００２４】
仮に、可動式センサー４が上方に移動しないと可動式センサー４に下部１１が引っかかってしまい取り外しにくくなってしまう。しかし本実施の形態２に係る空気調和装置の可動式センサー４は、パネル１を引き出す際に、回転軸８を中心として回転し上方に移動する。従って、ユーザーがパネル１を取り外す作業が容易となる。
【００２５】
また、図１１（ｂ）に図示されるように回転軸８が、水平面と平行な方向に対して所定の角度θ（０°＜θ＜９０°）で傾斜しているとよい。回転軸８が、水平面と平行（θ＝０°）になっていると、パネル１を手前側上方に引き出した際に、可動式センサー４は下部１１に対して上方に移動するだけである。一方、回転軸８が、水平面と平行な方向に対して所定の角度θ（０°＜θ＜９０°）で傾斜していると、パネル１を手前側上方に引き出した際に、可動式センサー４は上方だけでなく背面側（奥側）にも移動することになるからである。
このように可動式センサー４が背面側に移動することにより、可動式センサー４の移動量Ｄが小さくても、パネル１と可動式センサー４とが干渉しにくくなる。つまり、可動式センサー４の移動量Ｄが小さくても、パネル１を室内機５０から取り外す、又は開くことができるので、ユーザーがパネル１を取り外す作業が容易となる。
【符号の説明】
【００２６】
１  パネル、２  吸込口、３  吹出口、４  可動式センサー、５  上下ベーン、５Ａ  先端部、７  センサー保持部品、８  回転軸、１０  弾性部材、１１  下部、２０  本体、２１  開口部、２２  センサー取付筐体、２３  回転軸部、５０  室内機。  
【図１】
0005611065.tif 000002
【図２】
0005611065.tif 000003
【図３】
0005611065.tif 000004
【図４】
0005611065.tif 000005
【図５】
0005611065.tif 000006
【図６】
0005611065.tif 000007
【図７】
0005611065.tif 000008
【図８】
0005611065.tif 000009
【図９】
0005611065.tif 000010
【図１０】
0005611065.tif 000011
【図１１】
0005611065.tif 000012